(57)【要約】【課題】  使い捨て容器として利用できる簡易なもので、蓋体の着脱が容易で且つしっかりと蓋を装着することができる蓋付き容器を提供する。【解決手段】  一体成形で製出される薄肉樹脂製で、所定の一辺からみて隣接辺が直線状で且つ非拡幅形状にして、鍔部１３，２２を周設した容器体１及び蓋体２とで構成され、所定の一辺以外の辺における鍔部の一方に、他方の鍔部が密挿される折返部１４を、鍔部に連続して形成してなり、折返部１４と鍔部１３の間に、他方部材の鍔部２２を差し入れ、容器体１に蓋体２を装着する。【選択図】  図１
0003102441.tif 000002
【実用新案登録請求の範囲】
【請求項１】
一体成形で製出される薄肉樹脂製で、所定の一辺からみて隣接辺が直線状で且つ非拡幅形状にして、鍔部を周設した容器体及び蓋体とで構成され、前記所定の一辺以外の辺における鍔部の一方に、他方の鍔部が密挿される折返部を、鍔部に連続して形成してなることを特徴とする蓋付容器。
【請求項２】
所定辺の一方の鍔部に、凹部若しくは小孔を形成し、他方鍔部に前記凹部若しくは小透孔に嵌合する突部を設けて構成した止着構造を備えた請求項１記載の蓋付き容器。
【請求項３】
容器体に仕切り部を一体成形で形成すると共に、蓋体に、前記容器体の仕切り部と対応して仕切り部が嵌合される密封部を設けてなる請求項１又は２記載の蓋付き容器。
【請求項４】
所定辺の鍔部を幅広に形成すると共に透孔を穿設し、当該鍔部を持ち手としてなる請求項３記載の蓋付き容器。
【請求項５】
生分解樹脂で形成してなる請求項１乃至４記載の蓋付き容器。
【考案の詳細な説明】
【技術分野】
【０００１】
本考案は、主として使い捨て弁当容器として使用される蓋付き容器に関するものである。
【背景技術】
【０００２】
折箱等のように従来から使い捨て弁当容器が広く使用されており、収納した食品の保護のために、容器体の表面に、食品収納後にフィルムや蓋部材を熱シールして密封する手段が知られている（特許文献１）。
【０００３】
通常の使い捨て弁当などでは、蓋付き一体成形で製出される薄肉樹脂製の容器体に、縁部を垂設した透明蓋等を被冠し、この蓋体は通常容器体と分離しないように粘着テープで止着している。
【０００４】
また容器体に密封状態で蓋体を装着する手段として、容器体の上面突条に密嵌する凹部を蓋体側に形成し、上面突条と凹部との嵌合で蓋体を装着する手段も知られている（特許文献２）。
【０００５】
【特許文献１】特開２００２−２２５９６４号公報図１。
【特許文献２】特開２００１−２０６４０８号公報図２。
【考案の開示】
【考案が解決しようとする課題】
【０００６】
前記の熱シール手段は、使い捨て弁当のように生鮮食品を収納する場合には、熱シールを行うことは食品に影響を与えかねないし、シール作業自体が煩雑である。
【０００７】
また蓋体を粘着テープで止着する手段は、収納物を密封しておくことができないので、容器体を傾けると内容物がこぼれてしまう虞がある。また粘着テープの貼着作業が煩わしい。
【０００８】
更に蓋体を上方より押圧して容器体の上面突条と蓋体の凹部とを嵌合して装着する手段は、蓋体の装着作業は容易であるが、全面範囲で嵌合されているので、蓋体を外そうとして、蓋体の一端側から捲り上げても容易に蓋体が外れず、蓋体の取り外し作業が面倒である。
【０００９】
そこで本考案は、蓋体の着脱が容易で且つしっかりと蓋を装着することができた新規な蓋付き容器を提案したものである。
【課題を解決するための手段】
【００１０】
本考案（請求項１）に係る蓋付き容器は、一体成形で製出される薄肉樹脂製で、所定の一辺からみて隣接辺が直線状で且つ非拡幅形状にして、鍔部を周設した容器体及び蓋体とで構成され、前記所定の一辺以外の辺における鍔部の一方に、他方の鍔部が密挿される折返部を、鍔部に連続して形成してなることを特徴とするものである。
【００１１】
従って容器体に所望の食品などを収納した後に、一方の折返部を備えた鍔部に対して、その折返部と鍔部の間に、折返部を有しない所定辺から他方部材の鍔部を差し入れると、容器体に蓋体が装着される。特に電子レンジ使用が可能な材質で形成して、電子レンジでの食品加熱を行った場合、所定辺には折返部が存在しないので、所定辺から蒸気が抜け出ることになる。
【００１２】
また本考案（請求項２）は、特に所定辺の一方の鍔部に、凹部若しくは小孔を形成し、他方鍔部に前記凹部若しくは小透孔に嵌合する突部を設けて構成した止着構造を備えたもので、容器体に蓋体を装着した際に両者が嵌合して止着され、蓋体の離脱（スライド移動）が防止される。
【００１３】
また本考案（請求項３、４）は、容器体に仕切り部を一体成形で形成し、蓋体に、容器体の仕切り部と対応して仕切り部が嵌合される密封部を設けたものであり、更に所定辺の鍔部を幅広に形成すると共に透孔を穿設し、当該鍔部を持ち手としてなるもので、所定辺から折返部と鍔部の間に他方の鍔部を差し込むと、仕切り部の上方部分が密封部に嵌合し、仕切り空間間が確実に遮断される。更に所定辺に持ち手を形成することで、携帯が可能となる。
【００１４】
更に本考案（請求項５）は、生分解樹脂で形成してなるものであるから、そのまま廃棄することができる。
【考案の効果】
【００１５】
本考案（請求項１）は以上の通りであるから、単に蓋体を所定辺側から差し入れることで蓋体を容易に装着することができ、且つその離脱も容易であり、所定辺以外の辺部は一方の鍔部が他方の鍔部と折返部との間に密挿されているものであるから、充分な密閉性が確保できたものである。
【００１６】
また特に蓋体装着後の止着構造を備えることによって（請求項２）、蓋体装着をより確実なものとし、実用性が高められる。
【００１７】
更に仕切り部の形成と、仕切り部と嵌合される密封部の形成（請求項３）、並びに持ち手の形成（請求項４）によって、仕切り空間の密閉性を高めて、その携帯機能を高めたものである。
【考案を実施するための最良の形態】
【００１８】
＜第一実施形態＞  図１乃至図３は、本考案の第一実施形態を示したものである。この実施形態は、一体成形で製出される薄肉樹脂製（生分解樹脂が好ましい）の容器体１及び蓋体２とで構成される。
【００１９】
容器体１は、矩形容器で、適宜な仕切り部１１を備えた容器部１２の周囲に鍔部１３を備え、所定辺以外の３辺の鍔部１３には、折返部１４を形成してなる。この折返部１４は、一体成形で形成されると共に、鍔部１３との間隙を後述する蓋体２の鍔部２２が密挿される程度としたものである。また所定辺の鍔部１３には、止着用の小透孔１５と中央付近に切欠部１６を設けてなる。
【００２０】
蓋体２は、容器部１２と対応する蓋部２１と、蓋部２１の周囲に設けた鍔部２２とを備え、小透孔１５と対応する位置に、小透孔１５に嵌合する突部２３を設けてなる。
【００２１】
而して容器部１２に食品などを収納した後に、蓋体２を容器体１の所定辺からその鍔部２２を、蓋体２の鍔部１３と折返部１４との間に差し入れると、容器体１に蓋体２が装着されると共に、鍔部１３，２２が密着して容器部１１内は、ほぼ密封状態となり、且つ小透孔１５に突部２３が嵌り込んで蓋体２の抜けが防止されることになる。
【００２２】
そして食事のために蓋体２を外すには、切欠部１６の個所から蓋体２の鍔部２２を持って所定辺方向に引き抜けば良く、蓋体２の着脱が容易に行えるものである。
【００２３】
尚前記実施形態は矩形の容器を示したが、蓋体２のスライド移動装着可能な形状（所定の一辺からみて隣接辺が直線状で且つ非拡幅形状）であれば良いし、また折返部も容器体の鍔部に設けずに、図３（ロ）に示すように蓋体の鍔部に折返部２４を設けても良い。
【００２４】
＜第二実施形態＞  図４、５は本考案の第二実施形態を示したもので、手持ち携帯を可能とした蓋付き容器の例である。
【００２５】
第二実施形態も第一実施形態同様に、容器体１ａ及び蓋体２ａとで構成され、容器体１ａは、第一実施形態と同様に矩形容器で、適宜な仕切り部１１ａと、容器部１２ａと、鍔部１３ａと、折返部１４ａを形成してなる。
【００２６】
特に第二実施形態においては、鍔部１３ａのうち所定辺の鍔部１３１は、幅広に形成すると共に適宜大きさの透孔１３２を穿設してなる。また仕切り部１１ａは、複雑な仕切りとせずに、後述する密封状態が容易に実現できる単純形状とし、且つ頂部は、鍔部１３ａと面同一とする。
【００２７】
蓋体２ａも基本的には第一実施形態と同様に、蓋部２１ａと、鍔部２２ａとを備え、特に所定辺の鍔部２２１は、鍔部１３１と対応する幅広で、且つ透孔１３２に対応する透孔２２２を穿設してなる。
【００２８】
また仕切り部１１ａの形状に対応して、仕切り部１１ａの頂部が嵌合する密封部２５を設けてなる。
【００２９】
而して第一実施形態と同様に容器体１ａに食品等を収納し、蓋体２ａを装着するもので、特に第二実施形態においては、蓋体装着時に、仕切り部１１ａの上方部分（頂部）が密封部２５に嵌合し、仕切り空間が互いに確実に遮断されるので、各仕切り空間に収納された食品が隣に移ることがない。しかも幅広鍔部１３１，２２１が透孔１３２，２２２を備えることで当該箇所が持ち手となり、前記の密封状態を維持しているので縦状態での携帯が可能となるものである。
【図面の簡単な説明】
【００３０】
【図１】本考案の第一実施形態の全体斜視図。
【図２】同蓋体の装着状態の説明図（斜視図）。
【図３】同蓋体の装着状態の説明図（断面図）。
【図４】同第二実施形態の全体斜視図。
【図５】同蓋体の装着状態の説明図（断面図）。
【符号の説明】
【００３１】
１，１ａ            容器体
１１，１１ａ        仕切り部
１２，１２ａ        容器部
１３，１３ａ        鍔部
１３１              幅広鍔部（所定辺）
１３２              透孔
１４，１４ａ        折返部
１５                小透孔
１６                切欠部
２，２ａ            蓋体
２１，２１ａ        蓋部
２２，２２ａ        鍔部
２２１              幅広鍔部（所定辺）
２２２              透孔
２３                突部
２４                折返部
２５                密封部
【図１】
0003102441.tif 000003
【図２】
0003102441.tif 000004
【図３】
0003102441.tif 000005
【図４】
0003102441.tif 000006
【図５】
0003102441.tif 000007